(57)【特許請求の範囲】
【請求項１】
端子収容室を有するハウジング本体と、
前記端子収容室に収容される収容部及び前記ハウジング本体から突出する突出部を有する突出端子と、
前記ハウジング本体の前記突出端子の突出部側を覆い、前記突出端子の突出部が挿入突出される端子挿入孔が設けられたフロント部とを備え、
前記ハウジング本体及び前記フロント部の各々が、前記フロント部を前記突出端子の突出部から収容部に向かってハウジング本体に装着したときに前記突出端子の突出部が前記端子挿入孔から突出する本係止位置と前記フロント部に対する前記突出端子の突出部先端位置が前記本係止位置における前記突出端子の突出部先端位置よりも収容部側に位置する仮係止位置との双方の位置で前記フロント部を前記ハウジング本体に係止するための係止手段を有するコネクタにおいて、
前記突出端子として、大型突出端子と、該大型突出端子よりも断面積が小さくかつ前記大型突出端子の突出部先端よりも収容部側に突出部先端が位置するように前記端子収容室に収容された小型突出端子とが設けられ、
前記係止手段は、前記仮係止位置で前記フロント部を前記ハウジング本体に仮係止した状態で、前記大型突出端子の突出部が前記端子挿入孔から突出し、かつ前記小型突出端子の突出部先端が前記端子挿入孔の突出部側開口または該突出部側開口よりも収容部側に位置するように設けられたことを特徴とするコネクタ。
【請求項２】
フロント部が前記ハウジング本体の外側面を覆うカバー部を有し、
前記係止手段が、前記フロント部のカバー部と前記ハウジング本体の外側面との各々に設けられていることを特徴とする請求項１に記載のコネクタ。
【請求項３】
前記端子挿入孔の収容部側端部を形成する内周面に、前記突出端子の収容部から突出部に向かうに従って前記端子挿入孔の断面積を小さくするテーパが設けられたことを特徴とする請求項１又は２に記載のコネクタ。
【請求項４】
前記ハウジング本体及び前記フロント部を収容し、かつ相手側端子のハウジングと嵌合するケースをさらに備えたことを特徴とする請求項１〜３何れか１項記載のコネクタ。
【発明の詳細な説明】
【技術分野】
【０００１】
本発明は、コネクタに係り、特に、突出端子と、端子収容室及び該端子収容室に収容された前記突出端子を係止する端子係止ランスを有するハウジング本体とを備えたコネクタに関するものである。
【背景技術】
【０００２】
従来、上述したコネクタとして図８及び図９に示されたようなものが知られている（特許文献１）。図８は従来のコネクタ１０の一例を示す断面図であり、図９は図８に示すコネクタ１０を構成するハウジング本体１２の断面斜示図である。このコネクタ１０は、メス側コネクタ（図示せず）と基板２０上に突設された基板オス端子２１との間を接続するものである。
【０００３】
同図に示すように、コネクタ１０は、端子収容室を有するハウジング本体１２と、突出端子Ｔ（以下単に端子Ｔと略記する）とを備えている。端子Ｔは、上記端子収容室に収容される収容部１１ｂ及びハウジング本体１２の突出部側開口１２ａから突出する突出部１１ａを有する。この端子Ｔは、突出部１１ａ側にメス側コネクタ（図示せず）に収容されたメス端子が嵌合されるオス端子部が形成され、収容部１１ｂ側に収容部側開口１２ｂから基板オス端子２１が嵌合されるメス端子部がそれぞれ設けられたオス−メス端子である。
【０００４】
コネクタ１０は、上述したハウジング本体１２を収容する管状のコネクタ直付け間口ケース１３（以下単にケース１３と略記する）を備えている。上述したハウジング本体１２は、突出部１１ａ先端がケース１３の突出部側開口１３ａから突出しないように、かつハウジング本体１２の収容部１１ｂ側端部とケース１３の収容部１１ｂ側端部とがほぼ同じ位置になるようにケース１３内に収容されている。またケース１３にはメス側コネクタ（図示せず）のハウジングを係止するためのロック突部１３ｂが設けられている。
【０００５】
上述したコネクタ１０は突出部１１ａ先端がハウジング本体１２の突出部側開口１２ａから突出してむき出しとなっている。このため、ケース１３を外した状態、つまり端子Ｔを収容したハウジング本体１２単体で梱包、輸送する場合に突出部１１ａが変形してしまう恐れがある。特に、突出部１１ａが小型、つまり細くなると確実に変形してしまう恐れがある。
【特許文献１】特開２００２−３２４６１３号公報
【特許文献２】特開平１０−３１２８５３号公報
【特許文献３】特許第３６３４１１１号公報
【特許文献４】特許第３３８７４３８号公報
【発明の開示】
【発明が解決しようとする課題】
【０００６】
そこで、本発明は、上記のような問題点に着目し、梱包、輸送時に突出端子の変形防止を図ったコネクタを提供することを課題とする。
【課題を解決するための手段】
【０００７】
上記課題を解決するためになされた請求項１記載の発明は、端子収容室を有するハウジング本体と、前記端子収容室に収容される収容部及び前記ハウジング本体から突出する突出部を有する突出端子と、前記ハウジング本体の前記突出端子の突出部側を覆い、前記突出端子の突出部が挿入突出される端子挿入孔が設けられたフロント部とを備え、前記ハウジング本体及び前記フロント部の各々が、前記フロント部を前記突出端子の突出部から収容部に向かってハウジング本体に装着したときに前記突出端子の突出部が前記端子挿入孔から突出する本係止位置と前記フロント部に対する前記突出端子の突出部先端位置が前記本係止位置における前記突出端子の突出部先端位置よりも収容部側に位置する仮係止位置との双方の位置で前記フロント部を前記ハウジング本体に係止するための係止手段を有するコネクタにおいて、前記突出端子として、大型突出端子と、該大型突出端子よりも断面積が小さくかつ前記大型突出端子の突出部先端よりも収容部側に突出部先端が位置するように前記端子収容室に収容された小型突出端子とが設けられ、前記係止手段は、前記仮係止位置で前記フロント部を前記ハウジング本体に仮係止した状態で、前記大型突出端子の突出部が前記端子挿入孔から突出し、かつ前記小型突出端子の突出部先端が前記端子挿入孔の突出部側開口または該突出部側開口よりも収容部側に位置するように設けられたことを特徴とするコネクタに存する。
【０００８】
請求項１記載の発明によれば、ハウジング本体が端子収容室を有する。突出端子が端子収容室に収容される収容部及びハウジング本体から突出する突出部を有する。ハウジング本体の突出端子の突出部側がフロント部によって覆われる。このフロント部に設けられた端子挿入孔から突出端子の突出部が突出される。係止手段が、フロント部を突出端子の突出部から収容部に向かってハウジング本体に装着したときに突出端子の突出部が端子挿入孔から突出する本係止位置とフロント部に対する突出端子の突出部先端位置が本係止位置における突出端子の突出部先端位置よりも収容部側に位置する仮係止位置との双方の位置でフロント部をハウジング本体に係止する。従って、仮係止位置ではフロント部の端子挿入孔から突出端子の突出部が突出しない、または、たとえ突出してもその突出長を本係止位置に比べて短くすることができるため、フロント部により長手方向の衝撃から突出端子を保護することができる。また本係止位置ではフロント部の端子挿入孔から突出端子の突出部を突出させて、相手端子と接続させることができる。また、突出端子として、大型突出端子と、この大型突出端子よりも断面積が小さくかつ大型突出端子の突出部先端よりも収容部側に突出部先端が位置するように端子収容室に収容された小型突出端子とが設けられる。仮係止位置でフロント部をハウジング本体に仮係止した状態で、大型突出端子の突出部先端が端子挿入孔から突出し、かつ小型突出端子の突出部先端が端子挿入孔の突出部側開口または突出部側開口よりも収容部側に位置するように係止手段が設けられた。従って、仮係止位置において衝撃に弱い小型突出端子が端子挿入孔から突出されることがない。また小型突出端子に比べて衝撃に強い大型突出端子については端子挿入孔から突出させることにより、大型突出端子を端子挿入孔から突出させない場合に比べてハウジング本体の収容部側端部からフロント部までの長さを短くすることができる。
【００１５】
請求項２記載の発明は、前記フロント部が前記ハウジング本体の外側面を覆うカバー部を有し、前記係止手段が、前記フロント部のカバー部と前記ハウジング本体の外側面との各々に設けられていることを特徴とする請求項１に記載のコネクタに存する。
【００１６】
請求項２記載の発明によれば、係止手段が、フロント部のカバー部とハウジング本体の外側面とに各々設けられている。従って、仮係止位置でフロント部のカバー部によっても突出端子を保護することができる。しかも、カバー部及びハウジング本体の側面との各々に係止手段を設けることにより、簡単に係止手段を設けることができる。
【００１７】
請求項３記載の発明は、前記端子挿入孔の収容部側端部を形成する内周面に、前記突出端子の収容部から突出部に向かうに従って前記端子挿入孔の断面積を小さくするテーパが設けられたことを特徴とする請求項１又は２に記載のコネクタに存する。
【００１８】
請求項３記載の発明によれば、端子挿入孔の収容部側端部を形成する内周面に、突出端子の収容部から突出部に向かうに従って端子挿入孔の断面積を小さくするテーパが設けられる。従って、端子挿入孔の内周面に設けられたテーパに沿って突出端子を挿入すれば、端子挿入孔の収容部側端部から簡単に突出端子を挿入して貫通させることができる。
【００１９】
請求項４記載の発明は、前記ハウジング本体及び前記フロント部を収容し、かつ相手側端子のハウジングと嵌合するケースをさらに備えたことを特徴とする請求項１〜３何れか１項記載のコネクタに存する。
【００２０】
請求項４記載の発明によれば、ケースがハウジング本体及びフロント部を収容し、かつ相手側端子のハウジングと嵌合する。従って、ケースにより突出端子と嵌合する相手側端子のハウジングと嵌合することができる。
【発明の効果】
【００２１】
以上説明したように請求項１記載の発明によれば、仮係止位置ではフロント部の端子挿入孔から突出端子の突出部が突出しない、または、たとえ突出してもその突出長を本係止位置に比べて短くすることができるため、フロント部により長手方向の衝撃から突出端子を保護することができる。また本係止位置ではフロント部の端子挿入孔から突出端子の突出部を突出させて、相手端子と接続させることができるので、仮係止位置で梱包、輸送することにより突出端子の変形防止を図ることができる。また、仮係止位置において衝撃に弱い小型突出端子が端子挿入孔から突出されることがない。また小型突出端子に比べて衝撃に強い大型突出端子については端子挿入孔から突出させることにより、大型突出端子を端子挿入孔から突出させない場合に比べてハウジング本体の収容部側端部からフロント部までの長さを短くすることができるので、梱包、輸送時に突出端子の変形防止を図りつつ、小型化も図ることができる。
【００２５】
請求項２記載の発明によれば、仮係止位置でフロント部のカバー部によっても突出端子を保護することができる。しかも、カバー部及びハウジング本体の側面との各々に係止手段を設けることにより、簡単に係止手段を設けることができるので、簡単な構成でより一層梱包、輸送時に突出端子の変形防止を図ることができる。
【００２６】
請求項３記載の発明によれば、端子挿入孔の内周面に設けられたテーパに沿って突出端子を挿入すれば、端子挿入孔の収容部側端部から簡単に突出端子を挿入して貫通させることができるので、簡単に突出端子のアライメント矯正が可能となる。
【００２７】
請求項４記載の発明によれば、ケースにより突出端子と嵌合する相手側端子のハウジングと嵌合することができる。
【発明を実施するための最良の形態】
【００２８】
以下、本発明の実施形態を図面に基づいて説明する。図１は本発明のコネクタ１０の一実施の形態を示す断面図である。図２（ａ）及び（ｂ）はそれぞれ本発明のコネクタ１０を構成する小型突出端子Ｔ１及び大型突出端子Ｔ２とを示す斜示図である。図３（ａ）は本発明のコネクタ１０を構成するハウジング本体１２の斜示図であり、図３（ｂ）は図３（ａ）に示すハウジング本体１２のＩ−Ｉ線断面図である。
【００２９】
また、図４（ａ）は本発明のコネクタ１０を構成するフロント部１５の斜示図であり、図４（ｂ）は図４（ａ）に示すフロント部１５のＩＩ−ＩＩ線断面図である。図５（ａ）はハウジング本体１２にフロント部１５を仮係止したときの斜示図であり、図５（ｂ）は図５（ａ）に示すハウジング本体１２及びフロント部１５のＩＶ−ＩＶ線断面図であり、図５（ｃ）は図５（ａ）に示すフロント部１５のＶ−Ｖ線部分断面図である。図６（ａ）はハウジング本体１２にフロント部１５を本係止したときの斜示図であり、図６（ｂ）は図６（ａ）のＶＩ−ＶＩ線断面図である。図７はコネクタ１０の組立方法を説明するための図である。
【００３０】
本実施形態においてコネクタ１０としては、図１に示すように、メス側コネクタ（図示せず）と基板２０上に突設された基板オス端子２１（図７）との間を接続するものを一例として説明する。同図に示すように、コネクタ１０は、端子収容室Ｃ１及びＣ２（図３）を有するハウジング本体１２と、小型突出端子Ｔ１（以下小型端子Ｔ１と略記する）及び大型突出端子Ｔ２（以下大型端子Ｔ２と略記する）とを備えている。
【００３１】
小型端子Ｔ１及び大型端子Ｔ２は各々、上記端子収容室Ｃ１及びＣ２に収容される収容部１１ｂ及びハウジング本体１２の突出部側開口１２ａ（図３）から突出する突出部１１ａを有する。この小型端子Ｔ１及び大型端子Ｔ２は、図２（ａ）及び（ｂ）に示すように、突出部１１ａ側に上記メス側コネクタに収容されたメス端子が嵌合されるオス端子部が形成され、収容部１１ｂ側に収容部側開口１２ｂ（図３）から基板オス端子２１が嵌合されるメス端子部がそれぞれ設けられたオス−メス端子である。図２（ａ）及び（ｂ）を比較して明らかなように、小型端子Ｔ１の突出部１１ａの方が大型端子Ｔ２の突出部１１ａよりも細く、断面積が小さい。
【００３２】
また、ハウジング本体１２は、図３に示すように、略箱型であり、その内部は小型端子Ｔ１を収容する４つの端子収容室Ｃ１と、大型端子Ｔ２を収容する２つの端子収容室Ｃ２とに区画されている。また、各端子収容室Ｃ１には、収容された小型端子Ｔ１の収容部側Ｙ１２端部を係止する係止突部１２ｃと、小型端子Ｔ１の係止段部１１ｃ（図２参照）を係止するための端子係止ランス１２ｄとが突設されている。
【００３３】
上記端子係止ランス１２ｄは可撓性を有し、収容部側Ｙ１２に向かうに従って端子収容室Ｃ１中央に近づく。なお、大型端子Ｔ２を収容する端子収容室Ｃ２についても、端子収容室Ｃ１と同様に、図示しないが係止突部と端子係止ランス（何れも図示せず）とが突設されている。
【００３４】
次に、上述したハウジング本体１２内の端子収容室Ｃ１に対する小型端子Ｔ１の挿入方法について説明する。小型端子Ｔ１は突出部側開口１２ａから端子収容室Ｃ１に挿入され、各端子挿入室Ｃ１を仕切る隔壁に沿って収容部側Ｙ１２に向かって進入される。小型端子Ｔ１の収容部側Ｙ１２端部が端子係止ランス１２ｄに達すると、端子係止ランス１２ｄが図中上向きに撓む。さらに、収容部側Ｙ１２に向かって進入させると小型端子Ｔ１の収容部側Ｙ１２端部が係止突部１２ｃによって係止される。
【００３５】
一方、小型端子Ｔ１の収容部側Ｙ１２に向う進入に応じて小型端子Ｔ１の係止段部１１ｃが端子係止ランス１２ｄよりも収容部側Ｙ１２に位置すると、端子係止ランス１２ｄは図中下向きに復元して係止段部１１ｃを係止する。これにより、上述した小型端子Ｔ１は、突出部１１ａが端子収容室Ｃ１の突出部側開口１２ａから突出し、収容部１１ｂが端子収容室Ｃ１内に収容される。
【００３６】
また、上述した係止突部１２ｃ及び端子係止ランス１２ｄの係止により、小型端子Ｔ１を収容部側Ｙ１２に向かって押しても、突出部側Ｙ１１に向かって引いても、小型端子Ｔ１が端子収容室Ｃ１から抜けることなく収容保持される。端子収容室Ｃ２に対する大型端子Ｔ２の挿入は上述した小型端子Ｔ１と同様であるためここでは詳しい説明を省略する。
【００３７】
図１に示すように、小型端子Ｔ１の突出部１１ａ先端が、大型端子Ｔ２の突出部１１ａ先端よりも収容部側Ｙ１２に位置するように小型端子Ｔ１及び大型端子Ｔ２はそれぞれ端子収容室Ｃ１及びＣ２に収容保持されている。
【００３８】
また、コネクタ１０は、図１に示すように、ハウジング本体１２の小型端子Ｔ１及び大型端子Ｔ２の突出部側Ｙ１１を覆い、小型端子Ｔ１及び大型端子Ｔ２の突出部１１ａ（図２参照）が挿入突出される端子挿入孔Ｈ（図４参照）が設けられたフロント部１５と、ハウジング本体１２及びフロント部１５を収容するケース１３とを備えている。
【００３９】
図３に示すように、ハウジング本体１２の外側面にはフロント部１５に対して小型端子Ｔ１及び大型端子Ｔ２の長手方向Ｙ１を案内するガイド突部１２ｅが長手方向Ｙ１に沿って突設されている。このガイド突部１２ｅの収容部側Ｙ１２端部がフロント部１５を本係止する本係止段部１２ｅ１（係止手段）となっている。またガイド突部１２ｅの本係止段部１２ｅ１よりも突出部側Ｙ１１にはフロント部１５を仮係止する仮係止切欠部１２ｅ２（＝係止手段）が形成される。
【００４０】
また、フロント部１５は、図４に示すように、小型端子Ｔ１及び大型端子Ｔ２の突出部１１ａが挿入突出される端子挿入孔Ｈが形成された挿入孔形成部１５ａと、ハウジング本体１２の外側面を覆うカバー部１５ｂ、１５ｃとを有している。挿入孔形成部１５ａには、例えば、上述した小型端子Ｔ１を挿入するための４つの端子挿入孔Ｈと、大型端子Ｔ２を挿入するための２つの端子挿入孔Ｈが設けられている。
【００４１】
また、このカバー部１５ｂには、小型、大型端子Ｔ１及びＴ２の長手方向Ｙ１に沿い、かつ上述したガイド突部１２ｅが挿入されるガイド溝１５ｂ１と、このガイド溝１５ｂ１中央に向かって凸となる係止爪１５ｂ２を有するロックアーム１５ｂ３とが設けられている。カバー部１５ｃには、ケース１３と係止する係止爪１５ｃ１を有するロックアーム１５ｃ２が設けられている。
【００４２】
また、図４（ｂ）に示すように、端子挿入孔Ｈの収容部側Ｙ１２端部を形成する内周面に、突出部側Ｙ１１に向かうに従って端子挿入孔Ｈの断面積を小さくするテーパ１５ａ１が設けられている。
【００４３】
次に、上述した小型端子Ｔ１及び大型端子Ｔ２が収容されたハウジング本体１２に対するフロント部１５の装着方法について説明する。フロント部１５はガイド溝１５ｂ１内にハウジング本体１２のガイド突部１２ｅを挿入しつつ突出部側Ｙ１１から装着される。このガイド溝１５ｂ１及びガイド突部１２ｅに案内されフロント部１５は突出部側Ｙ１１から収容部側Ｙ１２に向かってハウジング本体１２に装着される。
【００４４】
この装着に応じて大型端子Ｔ２の突出部１１ａ先端がフロント部１５の端子挿入孔Ｈの収容部側開口に達すると、大型端子Ｔ２の突出部１１ａ先端がテーパ１５ａ１に沿ってアライメント矯正されつつ端子挿入孔Ｈに挿入される。次に、小型端子Ｔ１の突出部１１ａ先端がフロント部１５の端子挿入孔Ｈの収容部側開口に達すると、小型端子Ｔ１の突出部１１ａ先端がテーパ１５ａ１に沿ってアライメント矯正されつつ端子挿入孔Ｈに挿入されている。その後、フロント部１５のロックアーム１５ｂ３の係止爪１５ｂ２がガイド突部１２ｅの仮係止切欠部１２ｅ２に達すると、図５に示すようにフロント部１５の係止爪１５ｂ２とハウジング本体１２の仮係止切欠部１２ｅ１とが係止する。
【００４５】
これにより、フロント部１５はハウジング本体１２に仮係止される。この仮係止位置において図５（ｂ）に示すように、小型端子Ｔ１の突出部１１ａ先端は端子挿入孔Ｈの突出部側開口Ｈ１に位置している。一方、大型端子Ｔ２の突出部１１ａ先端は端子挿入孔Ｈの突出部側開口Ｈ１から微少に突出している。ハウジング本体１２及びフロント部１５は上述した仮係止状態で梱包、輸送される。
【００４６】
また、ケース１３は、図１に示すように略管状に形成され、外側面にメス側コネクタのコネクタハウジングと係合するためのロック突部１３ｂが設けられている。ハウジング本体１２及びフロント部１５は仮係止状態でこのケース１３内に装着される。詳しくは、仮係止されたハウジング本体１２及びフロント部１５をケース１３の突出部側開口１３ａから挿入する。ハウジング本体１２がケース１３内において図１に示す位置まで挿入されると、ハウジング本体１２に設けたロックアーム１５ｃとケース１３に設けた図示しない係止部とが係止して、ハウジング本体１２がケース１３に係止される。
【００４７】
この状態で、フロント部１５が突出部側Ｙ１１から収容部側Ｙ１２に向かうようにフロント部１５に力を加えると、フロント部１５の係止爪１５ｂ２とハウジング本体１２の仮係止切欠部１２ｅ２との仮係止が外れ、図７に示すように、フロント部１５が収容部側Ｙ１２に向かってハウジング本体１２にさらに装着される。
【００４８】
さらに、フロント部１５を突出部１１ａから収容部１１ｂに向かってハウジング本体１２に装着させると、フロント部１５のロックアーム１５ｂ３の係止爪１５ｂ２がガイド突部１２ｅの収容部側Ｙ１２端部にある本係止段部１２ｅ１に達し、図６に示すように、係止爪１５ｂ２と本係止段部１２ｅ１とによって係止される。これにより、フロント部１５はハウジング本体１２に本係止される。この本係止位置において図６（ｂ）に示すように、小型端子Ｔ１及び大型端子Ｔ２の突出部１１ａ先端が端子挿入孔Ｈから突出される。
【００４９】
図６から明らかなように、本係止位置において、小型端子Ｔ１及び大型端子Ｔ２の突出部１１ａ先端が端子挿入孔Ｈから突出している。一方、図５及び図６の比較から明らかなように、仮係止位置において、小型端子Ｔ１の突出部１１ａ先端が本係止位置における小型端子Ｔ１の突出部１１ａの先端位置Ｐ１よりも収容部側Ｙ１２に位置しており、かつ端子挿入孔Ｈの突出部側開口Ｈ１に位置している。
【００５０】
また、仮係止位置において、図５（ｃ）に示すように、大型端子Ｔ２の突出部１１ａ先端が本係止位置における大型端子Ｔ２の突出部１１ａの先端位置Ｐ２よりも収容部側Ｙ１２に位置している。
【００５１】
上述したコネクタ１０によれば、図５に示すように仮係止位置では小型端子Ｔ１はフロント部１５の端子挿入孔Ｈから突出していない。一方、大型端子Ｔ２は、端子挿入孔Ｈから微少に突出させている。これによれば、仮係止位置において細くて断面積が小さく、衝撃に弱い小型端子Ｔ１が端子挿入孔Ｈから突出されることがなく、梱包、輸送時の変形防止を図ることができる。一方、小型端子Ｔ１に比べて太くて断面積が大きく、衝撃に強い大型端子Ｔ２は多少、端子挿入孔Ｈから突出部１１ａ先端が突出しても、梱包、輸送時に変形することはない。また、大型端子Ｔ２を端子挿入孔Ｈから突出させることにより、突出させない場合に比べてハウジング本体１２の収容部側Ｙ１２端部からフロント部１５までの長さＬを短くして小型化を図ることができる。
【００５２】
また、上述したコネクタ１０によれば、ハウジング本体１２の仮係止切欠部１２ｅ２及びフロント部１５の係止爪１５ｂ２は、仮係止位置でフロント部１５をハウジング本体１２に仮係止した状態で、図５（ｂ）に示すように、小型端子Ｔ１の突出部１１ａ先端が端子挿入孔Ｈの突出部側開口Ｈ１に位置するように設けられる。従って、仮係止位置においてフロント部１５の端子挿入孔Ｈから小型端子Ｔ１が突出しないようにしつつ、ハウジング本体１２の収容部側Ｙ１２端部からフロント部１５までの長さＬ（図５（ｂ）参照）を最小にすることができる。これにより、梱包、輸送時に小型、大型端子Ｔ１及びＴ２の変形防止及び小型化を図ることができる。
【００５３】
また、上述したコネクタ１０によれば、フロント部１５及びハウジング本体１２間の係止手段である仮係止切欠部１２ｅ２、本係止段部１２ｅ１、係止爪１５ｂ２が、フロント部１５のカバー部１５ｂとハウジング本体１２の外側面とに各々設けられている。従って、仮係止位置においてこのカバー部１５ｂによっても大型、小型端子Ｔ１及びＴ２を保護することができる。しかも、このようなカバー部１５ｂ及びハウジング本体１２の外側面との各々に係止手段を設けることにより、簡単に係止手段を設けることができ、簡単な構成でより一層梱包、輸送時に小型端子Ｔ１及び大型端子Ｔ２の変形防止を図ることができる。
【００５４】
また、上述したコネクタ１０によれば、端子挿入孔Ｈの収容部側Ｙ１２端部を形成する内周面に、小型端子Ｔ１及び大型端子Ｔ２の収容部１１ｂから突出部１１ａに向かうに従って端子挿入孔Ｈの断面積を小さくするテーパ１５ａ１が設けられる。従って、端子挿入孔Ｈの内周面に設けられたテーパ１５ａ１に沿って小型端子Ｔ１及び大型端子Ｔ２を挿入すれば、端子挿入孔Ｈの収容部側Ｙ１２端部から簡単に小型端子Ｔ１及び大型端子Ｔ２を挿入して貫通させることができ、簡単に小型端子Ｔ１及び大型端子Ｔ２のアライメント（直線性）矯正が可能となる。
【００５５】
なお、上述した実施形態によれば、仮係止位置において小型端子Ｔ１を端子挿入孔Ｈから突出させないようにし、大型端子Ｔ２を端子挿入孔Ｈから微少に突出させていた。しかしながら、本発明はこれに限ったものでなく、仮係止位置においてフロント部１５に対する小型端子Ｔ１及び大型端子Ｔ２の突出部１１ａ先端位置が本係止位置における小型端子Ｔ１及び大型端子Ｔ２の突出部１１ａ先端位置Ｐ１、Ｐ２よりも収容部側Ｙ１２に位置していればよく、仮係止位置において小型端子Ｔ１及び大型端子Ｔ２の両方が端子挿入孔Ｈから突出していてもよい。つまり、仮係止位置において小型端子Ｔ１及び大型端子Ｔ２の突出部１１ａ先端が端子挿入孔Ｈの突出部側開口Ｈ１よりも突出部側Ｙ１１に位置するように設けても良い。
【００５６】
上述したように仮係止することにより、たとえ仮係止位置において小型端子Ｔ１及び大型端子Ｔ２が端子挿入孔Ｈから突出していても、本係止位置に比べて仮係止位置の方が端子挿入孔Ｈからの小型端子Ｔ１及び大型端子Ｔ２の突出長を短くすることができる。このため突出長が長い本係止位置で梱包、輸送する場合に比べて仮係止位置で梱包、輸送する方が小型端子Ｔ１、大型端子Ｔ２の変形防止を図ることができる。
【００５７】
また、仮係止位置において小型端子Ｔ１及び大型端子Ｔ２の両方を端子挿入孔Ｈから突出させないようにしてもよい。言い換えると、仮係止位置において大型端子Ｔ２の突出部１１ａ先端を端子挿入孔Ｈの突出部側開口Ｈ１に又は突出部側開口Ｈ１よりも収容部側Ｙ１２に位置させることも考えられる。
【００５８】
また、上述した実施形態によれば、仮係止位置において小型端子Ｔ１の突出部１１ａ先端を突出部側開口Ｈ１に位置させ、大型端子Ｔ２を突出部側開口Ｈ１よりも突出部側Ｙ１１に位置させていたが、例えば、仮係止位置において小型端子Ｔ１の突出部１１ａ先端を突出部側開口Ｈ１よりも収容部側Ｙ１２に位置させ、大型端子Ｔ２を突出部側開口Ｈ１よりも突出部側Ｙ１１に位置させていたもよい。
【００５９】
また、上述した実施形態によれば、突出端子としては突出部１１ａ側にオス端子部が収容部１１ｂ側にメス端子部が形成されたオス−メス端子を用いていたが、本発明はこれに限ったものではない。つまり、突出端子としてはその先端がハウジング本体１２の突出部側開口１２ａやフロント部１５の端子挿入孔Ｈから突出するような端子であればよく、例えば、収容部１１ｂ側にメス端子部が形成されていないものや、他端に電線などが電気接続されているものであってもよい。
【００６０】
また、上述した実施形態によれば、ハウジング本体１２側に２つの係止手段（仮係止切欠部１２ｅ２、本係止段部１２ｅ１）を設けていたが、本発明の係止手段としてはこれに限ったものでなく、フロント部１５及びハウジング本体１２の少なくとも一方に長手方向Ｙ１における位置が互いに異なる２つの仮係止手段、本係止手段を設けて、仮係止位置と本係止位置との双方で係止できればよく、例えば、フロント部１５側に仮係止手段、本係止手段を設けてもよい。
【００６１】
さらに、上述した実施形態によれば、ハウジング本体１２の外側面とそれを覆うフロント部１５のカバー部１５ｂに係止手段を設けていたが、本発明はこれに限らず上述した仮係止位置と本係止位置との双方の位置で係止できるようであれば別の部分に各々係止手段を設けることも考えられる。
【００６２】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６３】
【図１】本発明のコネクタ１０の一実施の形態を示す断面図である。
【図２】（ａ）及び（ｂ）はそれぞれ本発明のコネクタ１０を構成する小型突出端子Ｔ１及び大型突出端子Ｔ２とを示す斜示図である。
【図３】（ａ）は本発明のコネクタ１０を構成するハウジング本体１２の斜示図であり、（ｂ）は（ａ）に示すハウジング本体１２のＩ−Ｉ線断面図である。
【図４】（ａ）は本発明のコネクタ１０を構成するフロント部１５の斜示図であり、（ｂ）は（ａ）に示すフロント部１５のＩＩ−ＩＩ線断面図である。
【図５】（ａ）はハウジング本体１２にフロント部１５を仮係止したときの斜示図であり、（ｂ）は（ａ）に示すハウジング本体１２及びフロント部１５のＩＶ−ＩＶ線断面図である。
【図６】（ａ）はハウジング本体１２にフロント部１５を本係止したときの斜示図であり、（ｂ）は（ａ）のＶＩ−ＶＩ線断面図である。
【図７】コネクタ１０の組立方法を説明するための図である。
【図８】従来のコネクタ１０の一例を示す断面図である。
【図９】図８に示すコネクタ１０を構成するハウジング本体１２部分の断面斜示図である。
【符号の説明】
【００６４】
１０      コネクタ
１２      ハウジング本体
１２ｅ１  本係止段部（係止手段）
１２ｅ２  仮係止切欠部（係止手段）
１３      ケース
１５      フロント部
１５ｂ    カバー部
１５ａ１  テーパ
１５ｂ２  係止爪（係止手段）
Ｃ１      端子収容室
Ｃ２      端子収容室
Ｔ１      小型突出端子
Ｔ２      大型突出端子
Ｈ        端子挿入孔
Ｈ１      突出部側開口
Ｙ１１    突出部側
Ｙ１２    収容部側
【図１】
0004654094.tif 000002
【図２】
0004654094.tif 000003
【図３】
0004654094.tif 000004
【図４】
0004654094.tif 000005
【図５】
0004654094.tif 000006
【図６】
0004654094.tif 000007
【図７】
0004654094.tif 000008
【図８】
0004654094.tif 000009
【図９】
0004654094.tif 000010